(57)【特許請求の範囲】
【請求項１】
複数の情報処理装置のそれぞれについて、商用電源への接続状態の変化の履歴を収集して該履歴を履歴記憶部に記録し、
前記履歴記憶部に記録された前記履歴に基づいて、前記情報処理装置ごとに、前記商用電源への接続時間帯を特定し、該接続時間帯と、推移記憶部が記憶する、前記複数の情報処理装置を含む装置群による電力消費量が所定値以下である時間帯との重複時間を算出し、
前記重複時間の長い順に、当該情報処理装置が備える電池を使用して起動を行う情報処理装置を選択する処理をコンピュータが実行する電力平準化方法。
【請求項２】
前記選択する処理は、前記履歴記憶部に記録された前記接続状態の変化の回数が相対的に多い前記情報処理装置を、選択対象から除外する請求項１記載の電力平準化方法。
【請求項３】
前記記録する処理は、前記複数の情報処理装置のそれぞれについて、前記商用電源からの前記電池への充電状態の変化の履歴を収集して該履歴を前記履歴記憶部に記録し、
前記選択する処理は、前記履歴記憶部に記録された前記充電状態の変化の回数が相対的に多い前記情報処理装置を、選択対象から除外する請求項１又は２記載の電力平準化方法。
【請求項４】
複数の情報処理装置のそれぞれについて、商用電源への接続状態の変化の履歴を収集して該履歴を履歴記憶部に記録する収集部と、
前記履歴記憶部に記録された前記履歴に基づいて、前記情報処理装置ごとに、前記商用電源への接続時間帯を特定し、該接続時間帯と、推移記憶部が記憶する、前記複数の情報処理装置を含む装置群による電力消費量が所定値以下である時間帯との重複時間を算出する算出部と、
前記重複時間の長い順に、当該情報処理装置が備える電池を使用して起動を行う情報処理装置を選択する選択部とを有する電力平準化装置。
【請求項５】
複数の情報処理装置のそれぞれについて、商用電源への接続状態の変化の履歴を収集して該履歴を履歴記憶部に記録し、
前記履歴記憶部に記録された前記履歴に基づいて、前記情報処理装置ごとに、前記商用電源への接続時間帯を特定し、該接続時間帯と、推移記憶部が記憶する、前記複数の情報処理装置を含む装置群による電力消費量が所定値以下である時間帯との重複時間を算出し、
前記重複時間の長い順に、当該情報処理装置が備える電池を使用して起動を行う情報処理装置を選択する処理をコンピュータに実行させる電力平準化プログラム。
【発明の詳細な説明】
【技術分野】
【０００１】
本発明は、電力平準化方法、電力平準化装置、及びプログラムに関する。
【背景技術】
【０００２】
環境保護のため、低炭素社会の実現が火急の問題として考えられている。低炭素社会の実現には、エネルギーの使用量を削減する、いわゆる省エネだけでなく、消費電力の推移の平準化も効果的であると考えられている。消費電力の推移が平準化されれば、不足分の電力を火力発電によって補う機会が減少し、火力発電によるＣＯ２の排出量が削減されるからである。
【０００３】
そこで、ノートＰＣが搭載しているバッテリを活用して、オフィスでの消費電力の平準化が検討されている。その一例として、例えば、消費電力の小さい時期にバッテリを充電しておき、消費電力の大きい時期にはバッテリを放電させることで、消費電力を平準化させることが検討されている。
【先行技術文献】
【特許文献】
【０００４】
【特許文献１】特開２００１−２５８１７６号公報
【特許文献２】特開平１０−３００１６８号公報
【発明の概要】
【発明が解決しようとする課題】
【０００５】
しかしながら、各ノートＰＣに関して、一律にバッテリの充電時期と放電時期とが制御された場合、ノートＰＣの利便性を損なってしまう可能性がある。すなわち、商用電源を利用できない場合の補助的な電源として機能することがノートＰＣのバッテリの本来の役割である。したがって、例えば、外出等によってノートＰＣを持ち出す時期が、放電時期の直後等、バッテリへの充電が十分に行われていない時期に重なってしまった場合、当該ノートＰＣを持ち出し先で使用できない可能性がある。
【０００６】
そこで、利便性の低下を抑制しつつ消費電力を平準化することのできる電力平準化方法、電力平準化装置、及びプログラムの提供を目的とする。
【課題を解決するための手段】
【０００７】
そこで上記課題を解決するため、電力平準化方法は、複数の情報処理装置のそれぞれについて、商用電源への接続状態の変化の履歴を収集して該履歴を履歴記憶部に記録し、前記履歴記憶部に記録された前記履歴に基づいて、前記情報処理装置ごとに、前記商用電源への接続時間帯を特定し、該接続時間帯と、推移記憶部が記憶する、電力消費量が所定値以下である時間帯との重複時間を算出し、前記重複時間の長い順に、当該情報処理装置が備える電池を使用して起動を行う情報処理装置を選択する処理をコンピュータが実行する。
【発明の効果】
【０００８】
利便性の低下を抑制しつつ消費電力を平準化することができる。
【図面の簡単な説明】
【０００９】
【図１】本発明の実施の形態における電力平準化システムの構成例を示す図である。
【図２】本発明の実施の形態における電力平準化装置のハードウェア構成例を示す図である。
【図３】オフィスにおける電力消費量の時間的な推移の傾向を示す図である。
【図４】本発明の実施の形態における電力平準化システムの機能構成例を示す図である。
【図５】第一の実施の形態における商用電源への接続状態の変化の履歴の収集処理の処理手順の一例を説明するためのフローチャートである。
【図６】タップ・ノート対応記憶部の構成例を示す図である。
【図７】第一の実施の形態の接続履歴記憶部の構成例を示す図である。
【図８】電力平準化制御処理の処理手順の一例を説明するためのフローチャートである。
【図９】第一の実施の形態の優先順位判定処理の処理手順の一例を説明するためのフローチャートである。
【図１０】第一の実施の形態の算出用テーブルの構成例を示す図である。
【図１１】電力消費量推移記憶部の構成例を示す図である。
【図１２】優先順位記憶部の構成例を示す図である。
【図１３】第一の実施の形態のノートＰＣが実行する処理手順の一例を説明するためのフローチャートである。
【図１４】第二の実施の形態の優先順位判定処理の処理手順の一例を説明するためのフローチャートである。
【図１５】第二の実施の形態の算出用テーブルの構成例を示す図である。
【図１６】第三の実施の形態における商用電源への接続状態の変化の履歴の収集処理の処理手順の一例を説明するためのフローチャートである。
【図１７】第三の実施の形態の接続履歴記憶部の構成例を示す図である。
【図１８】第三の実施の形態の優先順位判定処理の処理手順の一例を説明するためのフローチャートである。
【図１９】第三の実施の形態の算出用テーブルの構成例を示す図である。
【図２０】充電状態のノートＰＣによる通知処理の処理手順の一例を説明するための図である。
【図２１】第四の実施の形態のノートＰＣが実行する処理手順の一例を説明するためのフローチャートである。
【発明を実施するための形態】
【００１０】
以下、図面に基づいて本発明の実施の形態を説明する。図１は、本発明の実施の形態における電力平準化システムの構成例を示す図である。同図において、電力平準化システム１は、電力平準化装置１０、及び複数台のノートＰＣ２０等を含む。電力平準化装置１０と各ノートＰＣ２０とは、ＬＡＮ（Local Area Network）等の情報通信ネットワークＮ１（有線又は無線の別は問わない。）を介して通信可能に接続されている。
【００１１】
ノートＰＣ２０は、充電可能なバッテリ（二次電池）を備えた、可搬性の有るＰＣ（Personal Computer）である。ノートＰＣ２０は、バッテリ及び商用電源の双方を電源として駆動することができる。各ノートＰＣ２０は、電力ネットワークＮ２に接続された電源タップ３０のコンセント（プラグ受け）に差し込みプラグが接続されることで、商用電源より電力供給を受けることができる。各電源タップ３０は、電力センサを内蔵しており、例えば、各ノートＰＣの商用電源への接続状態の変化を、情報通信ネットワークＮ１を介して電力平準化装置１０に通知する。なお、電源タップ３０から情報通信ネットワークＮ１への接続は、例えば、無線通信を介して行われてもよい。又は、情報通信ネットワークＮ１に接続された変換器等に、ＵＳＢ（Universal Serial Bus）等を介して電源タップ３０が接続されてもよい。この場合、変換器等は、ＵＳＢ等を介して電源タップ３０より入力される情報を、例えば、ＩＰパケット等に変換して、情報通信ネットワークＮ１に出力する。
【００１２】
なお、充電可能なバッテリを備え、当該バッテリと商用電源との双方を電源として駆動可能な装置であれば、ノートＰＣ２０以外の情報処理装置が、ノートＰＣ２０の位置付けに適用されてもよい。
【００１３】
電力平準化装置１０は、電力平準化システム１全体、又は電力平準化システム１が利用される所定の区域における電力消費量の推移が平準化されるようにするための処理を実行する。本実施の形態において、所定の区域は、オフィスであるとする。
【００１４】
図２は、本発明の実施の形態における電力平準化装置のハードウェア構成例を示す図である。図２の電力平準化装置１０は、それぞれバスＢで相互に接続されているドライブ装置１００、補助記憶装置１０２、メモリ装置１０３、ＣＰＵ１０４、及びインタフェース装置１０５等を有する。
【００１５】
電力平準化装置１０での処理を実現するプログラムは、記録媒体１０１によって提供される。プログラムを記録した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００１６】
メモリ装置１０３は、プログラムの起動指示があった場合に、補助記憶装置１０２からプログラムを読み出して格納する。ＣＰＵ１０４は、メモリ装置１０３に格納されたプログラムに従って電力平準化装置１０に係る機能を実行する。インタフェース装置１０５は、情報通信ネットワークＮ１に接続するためのインタフェースとして用いられる。
【００１７】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard Disk Drive）又はフラッシュメモリ等が挙げられる。記録媒体１０１及び補助記憶装置１０２のいずれについても、コンピュータ読み取り可能な記録媒体に相当する。
【００１８】
なお、ノートＰＣ２０についても、図２に示されるハードウェアと同様のハードウェアを備えていればよい。但し、ノートＰＣ２０は、キーボード等の入力装置や、液晶画面等の表示装置を備えていてもよい。また、上記したように、ノートＰＣ２０は、バッテリを備えている。
【００１９】
続いて、第一の実施の形態における、電力平準化の基本的な考え方について説明する。図３は、オフィスにおける電力消費量の時間的な推移の傾向を示す図である。
【００２０】
同図では、出社時、昼休み、及び退社時に時間帯が区切られている。同図の例では、出社時において、電力消費量は急激に増加し、一日のうちのピークを記録する。これは、出社に伴って、各従業員がＰＣ（Personal Computer）等の電子機器を起動することによるものと考えられる。その後、昼休みになると、節電のためにＰＣ等の電源が切られ、電力消費量は一時的に低下する。昼休みが終わると、再びＰＣ等が起動され、電力消費量は増加する。但し、午後になると出張や会議等によって離席する従業員が増えるため、昼休み直後の消費電力量は、出社時ほどではない。その後、退社時に近付くにつれ、外出から戻ってくる従業員が増加し、それに伴って起動されるＰＣ等によって電力消費量が増加する。退社時を過ぎると、ＰＣ等の電源は切られ、消費電力量は急激に減少する。
【００２１】
本実施の形態では、図３に示されるような傾向に鑑みて、一部のノートＰＣ２０の起動について、商用電源ではなく、バッテリを利用することで、電力を平準化させる。すなわち、一部のノートＰＣ２０の起動にバッテリが利用されること（以下、「バッテリ起動」という。）で、例えば、出社時や、昼休み後の電力消費量の低下を期待することができる。その結果、出社時、昼休み、及び退社時を通した全体的な電力の推移の平準化を期待することができる。
【００２２】
バッテリ起動の対象とする一部のノートＰＣ２０の選択基準について説明する。本実施の形態では、オフピークの時間帯（以下、「オフピーク時間帯」という。）にオフィスに居る可能性の高いユーザのノートＰＣ２０に関して、バッテリ起動が行われる。一方、オフピーク時間帯にオフィスに居る可能性の低いユーザのノートＰＣ２０は、バッテリ起動の対象から除外される。
【００２３】
オフピーク時間帯とは、例えば、３０分単位の平均の電力消費量が閾値以下である時間帯をいう。当該閾値は、一日の消費電力量の時間的な推移のピーク値を基準として定められてもよいし、一日の消費電力量の平均値を基準として定められてもよい。前者の場合は、例えば、ピーク値に対して１未満の係数を乗じた値が閾値とされる。なお、図３の例では、例えば、昼休みがオフピーク時間帯とされる。
【００２４】
オフピーク時間帯に、オフィスに居る可能性の低いユーザは、オフピーク時に外出する可能性の高いユーザであるといえる。したがって、仮に、斯かるユーザに関して、出社時等においてノートＰＣ２０の起動にバッテリが使用されてしまうと、持ち出し先で当該バッテリを使用できなくなってしまう可能性がある。本実施の形態では、斯かるユーザのノートＰＣ２０はバッテリ起動の対象から除外されるため、このような不都合が発生する可能性を低下させることができる。
【００２５】
以上のような制御を可能とするため、電力平準化システム１は、例えば、図４に示されるような機能構成を有する。
【００２６】
図４は、本発明の実施の形態における電力平準化システムの機能構成例を示す図である。同図において、ノートＰＣ２０は、通知部２１、問い合わせ部２２、バッテリ起動フラグ記憶部２３、及び電源選択部２４等を有する。通知部２１、問い合わせ部２２、及び電源選択部２４は、ノートＰＣ２０にインストールされたプログラムが、ノートＰＣ２０のＣＰＵに実行させる処理により実現される。バッテリ起動フラグ記憶部２３は、ノートＰＣ２０が有する補助記憶装置又はノートＰＣ２０とネットワークを介して接続する記憶装置を用いて実現可能である。
【００２７】
通知部２１は、ノートＰＣ２０の状態の変化を電力平準化装置１０に通知する。問い合わせ部２２は、当該ノートＰＣ２０が、バッテリ起動の対象であるか否かを電力平準化装置１０に問い合わせる。電力平準化装置１０からの応答において、バッテリ起動の対象であることが示されている場合、問い合わせ部２２は、当該ノートＰＣ２０がバッテリ起動の対象であることを示す情報（以下、「バッテリ起動フラグ」という。）をバッテリ起動フラグ記憶部２３に記録する。なお、問い合わせ部２２の処理の実行時は、既にノートＰＣ２０の起動後である。したがって、バッテリ起動フラグは、次回の起動時において有効となる。
【００２８】
電源選択部２４は、ノートＰＣ２０が使用する電源を選択する。電源選択部２４は、バッテリ起動フラグ記憶部２３にバッテリ起動フラグが記録されている場合、当該ノートＰＣ２０の起動時及び起動後の所定期間の駆動に関して、バッテリを電源として使用する。一方、バッテリ起動フラグ記憶部２３にバッテリ起動フラグが記録されていない場合、電源選択部２４は、当該ノートＰＣ２０の起動等に関して商用電源を使用する。
【００２９】
一方、電力平準化装置１０は、履歴収集部１２１、オフピーク接続時間算出部１２２、優先順位判定部１２３、バッテリ起動選択部１２４、及び指示部１２５等を有する。これら各部は、電力平準化装置１０にインストールされたプログラムが、ＣＰＵ１０４に実行させる処理により実現される。電力平準化装置１０は更に、タップ・ノート対応記憶部１３１、接続履歴記憶部１３２、電力消費量推移記憶部１３３、算出用テーブル１３４、及び優先順位記憶部１３５等を有する。これら各記憶部又はテーブルは、補助記憶装置１０２、又は電力平準化装置１０とネットワークを介して接続する記憶装置等を用いて実現可能である。但し、算出用テーブル１３４は、メモリ装置１０３を用いて実現されるのが好適である。
【００３０】
履歴収集部１２１は、各電源タップ３０より、ノートＰＣ２０の商用電源への接続状態の変化の履歴を収集する。商用電源への接続状態とは、商用電源への接続の有無をいう。履歴収集部１２１は、履歴の収集先の電源タップ３０に対応したノートＰＣ２０を、タップ・ノート対応記憶部１３１を参照して特定する。履歴収集部１２１は、当該履歴を、特定されたノートＰＣ２０に関する商用電源への接続状態の変化の履歴として接続履歴記憶部１３２に記録する。
【００３１】
タップ・ノート対応記憶部１３１は、各電源タップ３０のコンセント単位の識別子（以下、「タップＩＤ」という。）と、各ノートＰＣ２０の識別子（以下、「ノートＩＤ」という。）との対応情報を記憶する。
【００３２】
電力消費量推移記憶部１３３は、電力平準化システム１全体又はオフィス全体の電力消費量の時間的な推移を示す情報（例えば、図３に示されるような情報）を予め記憶する。具体的には、例えば、３０分単位で、２４時間分の電力消費量を記憶する。当該消費電力量は、例えば、オフィスの建屋に設置された電力計を用いて計測されたものであってもよいし、各電源タップ３０が備える電力センサによって計測された電力値の合計であってもよい。また、電力消費量推移記憶部１３３は、特定の日の消費電力量ではなく、一定期間における計測値の平均値等を記憶していてもおい。
【００３３】
オフピーク接続時間算出部１２２は、ノートＰＣ２０ごとに、オフピーク時間帯における、商用電源への接続時間を算出する。具体的には、オフピーク接続時間算出部１２２は、ノートＰＣ２０ごとに、商用電源への接続時間帯と、オフピーク時間帯との重複時間を算出する。各ノートＰＣ２０の商用電源への接続時間帯は、接続履歴記憶部１３２を参照して特定される。オフピーク時間帯は、電力消費量推移記憶部１３３を参照して特定される。
【００３４】
算出用テーブル１３４は、オフピーク接続時間の算出に使用される作業用のテーブルである。算出用テーブル１３４は、最終的に、ノートＰＣ２０ごとにオフピーク接続時間が記録された状態となる。
【００３５】
優先順位判定部１２３は、算出用テーブル１３４に記録された各ノートＰＣ２０のオフピーク接続時間に基づいて、バッテリ起動に関する各ノートＰＣ２０の優先順位を判定する。オフピーク接続時間が長い方が優先順位において上位とされる。オフピーク接続時間が長いノートＰＣ２０は、オフピーク時間帯において、商用電源に接続できる可能性が高いノートＰＣ２０であると推定できるからである。優先順位判定部１２３は、優先順位の判定結果を、優先順位記憶部１３５に記録する。
【００３６】
すなわち、本実施の形態では、オフピーク接続時間が相対的に長いノートＰＣ２０は、オフピークの時間帯にオフィスに居る可能性が相対的に高いユーザのノートＰＣ２０であると推定される。一方、オフピーク接続時間が相対的に短いノートＰＣ２０は、オフピーク時間帯にオフィスに居る可能性が相対的に低いユーザのノートＰＣ２０であると推定される。
【００３７】
バッテリ起動選択部１２４は、優先順位記憶部１３５に記録された、各ノートＰＣ２０の優先順位を参照して、バッテリ起動の対象とするノートＰＣ２０を選択する。バッテリ起動選択部１２４は、選択結果を、優先順位記憶部１３５に記録する。
【００３８】
指示部１２５は、優先順位記憶部１３５を参照して、バッテリ起動の対象として参照されたノートＰＣ２０に対して、バッテリ起動の指示を行う。
【００３９】
以下、電力平準化システム１において実行される処理手順について説明する。図５は、第一の実施の形態における商用電源への接続状態の変化の履歴の収集処理の処理手順の一例を説明するためのフローチャートである。
【００４０】
或る電源タップ３０のコンセントに、ノートＰＣ２０のプラグが差し込まれ、ノートＰＣ２０の電源がＯＮされると（Ｓ１１０でＹｅｓ）、当該電源タップ３０の電力センサによって、電力の消費が検知される。電力の消費の検知に応じ、当該電源タップ３０は、当該電源タップ３０及び当該コンセントを識別するタップＩＤを含む接続通知を電力平準化装置１０に送信する（Ｓ１２０）。
【００４１】
電力平準化装置１０において接続通知が受信されると、履歴収集部１２１は、接続通知に含まれるタップＩＤをキーとして、タップ・ノート対応記憶部１３１よりノートＰＣ２０の識別子（ノートＩＤ）を検索する（Ｓ１３０）。
【００４２】
図６は、タップ・ノート対応記憶部の構成例を示す図である。同図において、タップ・ノート対応記憶部１３１は、電源タップ３０ごとに、タップＩＤと、当該タップＩＤに係る電源タップ３０に接続されるノートＰＣ２０のノートＩＤを記憶する。なお、同図において、ノートＩＤは、「Ａ」、「Ｂ」、又は「Ｃ」と抽象化されているが、例えば、ＩＰアドレス又はホスト名等がノートＩＤとして用いられてもよい。
【００４３】
該当するノートＩＤが検索された場合（Ｓ１３０でＹｅｓ）、履歴収集部１２１は、当該ノートＩＤに関して、商用電源に接続されたことを接続履歴記憶部１３２に記録する（Ｓ１４０）。一方、該当するノートＩＤが検索されない場合（Ｓ１３０でＮｏ）、ステップＳ１４０は実行されない。
【００４４】
図７は、第一の実施の形態の接続履歴記憶部の構成例を示す図である。同図において、接続履歴記憶部１３２は、各ノートＰＣ２０に関して、商用電源への接続状態の変化の履歴を記憶する。すなわち、接続履歴記憶部１３２の各レコードは、ノートＩＤ、接続状態、及び時刻等を含む。ノートＩＤは、商用電源への接続状態が変化したノートＰＣ２０のノートＩＤである。接続状態は、変化後の接続状態である。「有り」は、商用電源への接続（商用電源の電力の消費）が検知されたことを示す。「無し」は、商用電源への接続の解除（商用電源の電力の消費が無いこと）が検知されたことを示す。時刻は、接続状態が変化した時刻、すなわち、レコードが接続履歴記憶部１３２に記録された時刻である。
【００４５】
上記したステップＳ１４０において、履歴収集部１２１は、検索されたノートＩＤと、「有り」を示す接続状態と、現在時刻とを含むレコードを接続履歴記憶部１３２に記録する。
【００４６】
一方、或る電源タップ３０のコンセントに接続されていたノートＰＣ２０の電源がＯＦＦにされたり、プラグが抜かれたりすると（Ｓ１５０でＹｅｓ）、当該電源タップ３０の電力センサによって、電力の消費（電力値）が検知されなくなる。電力の消費が検知されなくなったことに応じ、電源タップ３０は、当該電源タップ３０及び当該コンセントを識別するタップＩＤを含む切断通知を電力平準化装置１０に送信する（Ｓ１６０）。
【００４７】
電力平準化装置１０において切断通知が受信されると、履歴収集部１２１は、切断通知に含まれるタップＩＤをキーとして、タップ・ノート対応記憶部１３１よりノートＩＤを検索する（Ｓ１７０）。該当するノートＩＤが検索された場合（Ｓ１７０でＹｅｓ）、履歴収集部１２１は、当該ノートＩＤに関して、商用電源への接続状態として「無し」と、現在時刻とを含むレコードを接続履歴記憶部１３２に追加する（Ｓ１８０）。一方、該当するノートＩＤが検索されない場合（Ｓ１７０でＮｏ）、ステップＳ１８０は実行されない。
【００４８】
図５に示される処理が、例えば、１日実行されることにより、各ノートＰＣ２０に関して、商用電源への接続時間帯を特定することができる。なお、図５に示される処理は、数日間実行されてもよい。
【００４９】
また、上記では、電源タップ３０の電力センサによって、ノートＰＣ２０の商用電源への接続が検知される例について説明したが、ノートＰＣ２０が、自らの通電状態を調べて、商用電源への接続を検知してもよい。すなわち、接続通知又は切断通知は、ノートＰＣ２０の通知部２１によって送信されてもよい。この場合、接続通知又は切断通知には、ノートＩＤを指定することができる。したがって、タップ・ノート対応記憶部１３１は、必ずしも必要ではなくなる。
【００５０】
続いて、図５に示される処理とは非同期に電力平準化装置１０が実行する、電力平準化制御処理について説明する。
【００５１】
図８は、電力平準化制御処理の処理手順の一例を説明するためのフローチャートである。
【００５２】
同図の処理は、周期的に実行される（Ｓ２０１）。例えば、一週間ごと、又は一ヶ月ごと等に実行される。又は、接続履歴記憶部１３２の内容若しくは電力消費量推移記憶部１３３の内容の変化に応じて実行されてもよい。すなわち、同図の処理が周期的に実行されるのは、各ノートＰＣ２０の商用電源への接続時間帯の変化や、オフィス全体の電力消費量の推移の変化等に合わせて、電力平準化のための制御を行うためである。
【００５３】
ステップＳ２０２において、オフピーク接続時間算出部１２２及び優先順位判定部１２３は、優先順位判定処理を実行する。優先順位判定処理では、次回の起動時においてバッテリ起動の対象とするノートＰＣ２０の選択に関する優先順位が判定される。優先順位の判定結果は、優先順位記憶部１３５に記録される。
【００５４】
続いて、バッテリ起動選択部１２４は、例えば、優先順位の上位所定数のノートＰＣ２０に対して、次回の起動時に関してバッテリ起動の対象とするノートＰＣ２０を選択する（Ｓ２０３）。バッテリ起動の対象の選択結果は、優先順位記憶部１３５に記録される。
【００５５】
続いて、いずれかのノートＰＣ２０から、起動対象であるか否かの問い合わせが受信されると（Ｓ２０４でＹｅｓ）、指示部１２５は、優先順位記憶部１３５を参照して、問い合わせに指定されたノートＩＤに係るノートＰＣ２０がバッテリ起動の対象であるか否かを判定し、その判定結果を含む応答を返信する（Ｓ２０５）。当該応答の内容が、バッテリ起動の対象であることを示すものであれば、当該応答は、バッテリ起動の対象として選択されたことの通知、又はバッテリ起動することの指示に相当する。
【００５６】
続いて、ステップＳ２０２の詳細について説明する。図９は、第一の実施の形態の優先順位判定処理の処理手順の一例を説明するためのフローチャートである。
【００５７】
ステップＳ２１０において、オフピーク接続時間算出部１２２は、接続履歴記憶部１３２より、順番に一つのレコードを取得する。レコードが取得できた場合（Ｓ２１０でＹｅｓ）、オフピーク接続時間算出部１２２は、当該レコード（以下、「履歴レコード」という。）の接続状態の値は「有り」であるか否かを判定する（Ｓ２２０）。履歴レコードの接続状態の値が「有り」である場合（Ｓ２２０でＹｅｓ）、オフピーク接続時間算出部１２２は、履歴レコードのノートＩＤを含むレコードが、算出用テーブル１３４に記録されているか否かを判定する（Ｓ２３０）。
【００５８】
図１０は、第一の実施の形態の算出用テーブルの構成例を示す図である。同図に示される算出用テーブル１３４には、ノートＩＤごとに、オフピーク接続時間及び接続開始時刻等が記録される。オフピーク接続時間は、ノートＩＤに係るノートＰＣ２０が、オフピーク時間帯において、商用電源に接続されていた時間である。すなわち、オフピーク接続時間は、当該ノートＰＣ２０による商用電源への接続時間帯と、オフピーク時間帯との重複時間である。接続開始時刻は、ノートＩＤに係るノートＰＣ２０が商用電源への接続を開始した時刻であり、オフピーク接続時間を算出するために一時的に記録される。なお、算出用テーブル１３４の内容は、図９の処理の開始時において空である。
【００５９】
したがって、或るノートＩＤに関して初めてステップＳ２３０が実行される場合、ステップＳ２４０に進む。ステップＳ２４０において、オフピーク接続時間算出部１２２は、算出用テーブル１３４に対して、対象ノートＩＤに係るレコード（以下、「算出用レコード」という。）を追加する。算出用レコードのオフピーク接続時間には「０」が記録される。続いて、オフピーク接続時間算出部１２２は、履歴レコードの時刻を、算出用レコードの接続開始時刻に記録する（Ｓ２５０）。
【００６０】
なお、履歴レコードのノートＩＤを含む算出用レコードが算出用テーブル１３４に既に記録されている場合（Ｓ２３０でＮｏ）、オフピーク接続時間算出部１２２は、履歴レコードの時刻を、当該算出用レコードの接続開始時刻に記録する（Ｓ２５０）。
【００６１】
一方、履歴レコードの接続状態の値が「有り」でない場合（Ｓ２２０でＮｏ）、オフピーク接続時間算出部１２２は、履歴レコードのノートＩＤに係るノートＰＣ２０に関して、商用電源への接続時間帯を特定する（Ｓ２６０）。具体的には、当該ノートＩＤに関して算出用テーブル１３４に記録されている接続開始時刻から履歴レコードに記録されている時刻までの時間帯が、当該ノートＰＣ２０の商用電源への接続時間帯として特定される。
【００６２】
続いて、オフピーク接続時間算出部１２２は、特定された接続時間帯と、オフピーク時間帯との重複時間を算出する（Ｓ２７０）。すなわち、当該接続時間帯のうち、オフピーク時間帯に属する時間が算出される。オフピーク時間帯は、電力消費量推移記憶部１３３が記憶する、消費電力量の時間的な推移に基づいて特定される。
【００６３】
図１１は、電力消費量推移記憶部の構成例を示す図である。同図において、電力消費量推移記憶部１３３は、３０分単位で、電力消費量を記憶する。この場合、オフピーク時間帯は、３０分刻みで特定される。例えば、電力消費量が予め設定された閾値以下である時間がオフピーク時間帯に含まれる。
【００６４】
なお、電力消費量推移記憶部１３３には、オフピーク時間帯を示す情報（例えば、開始時刻及び終了時刻）が直接的に記録されていてもよい。また、オフピーク時間帯は、必ずしも一つの時間帯に限られない。オフピーク時間帯が複数有る場合、複数のそれぞれのオフピーク時間帯と、接続時間帯との重複時間の総和がオフピーク接続時間として算出される。
【００６５】
続いて、オフピーク接続時間算出部１２２は、算出された重複時間を、算出用テーブル１３４において、履歴レコードのノートＩＤに係るレコードのオフピーク接続時間に加算する（Ｓ２８０）。
【００６６】
ステップＳ２５０又はＳ２８０に続いて、接続履歴記憶部１３２が記憶する全てのレコードに関してステップＳ２１０以降が実行される。全てのレコードに関してステップＳ２１０以降の実行が完了すると（Ｓ２１０でＹｅｓ）、優先順位判定部１２３は、算出用テーブル１３４を参照して、各ノートＰＣ２０に関して優先順位を判定する（Ｓ２９０）。ここでは、オフピーク接続時間の長い順に優先順位が上位とされる。優先順位判定部１２３は、判定結果を優先順位記憶部１３５に記録する。
【００６７】
図１２は、優先順位記憶部の構成例を示す図である。同図に示されるように、優先順位記憶部１３５は、ノートＩＤごとに、優先順位を記憶する。同図では、図１０の算出用テーブル１３４に記録されているオフピーク接続時間の長い順に、優先順位が設定された例が示されている。
【００６８】
なお、図８のステップＳ２０３において、バッテリ起動選択部１２４は、優先順位記憶部１３５を参照して、優先順位の上位から順に所定数のノートＰＣ２０を選択する。但し、オフピーク接続時間が閾値以上であるノートＰＣが選択されてもよい。この場合、選択されるノートＰＣ２０の数は、必ずしも所定数ではない。バッテリ起動選択部１２４は、選択されたノートＰＣ２０係るノートＩＤに関して、バッテリ起動の対象としたことを、優先順位記憶部１３５に記録する。すなわち、図１２において、「バッテリ起動」の項目に記録されている「○」は、バッテリ起動の対象とされたことを示す。
【００６９】
なお、バッテリ起動の対象とするノートＰＣ２０の台数は、固定的であってもよいし、オフィスにおける電力消費量の推移に基づいて算出されてもよい。具体的には、バッテリ起動選択部１２４は、電力消費量推移記憶部１３３を参照して、電力消費量の最高値及び最低値を特定する。続いて、バッテリ起動選択部１２４は、当該最高値と当該最低値との差分を、ノートＰＣ２０の標準電力消費量で除した値を、バッテリ起動の対象とするノートＰＣ２０の台数とする。なお、標準電力消費量とは、例えば、通常の接続状態において消費される電力量をいう。
【００７０】
続いて、各ノートＰＣ２０が実行する処理手順について説明する。図１３は、第一の実施の形態のノートＰＣが実行する処理手順の一例を説明するためのフローチャートである。
【００７１】
ノートＰＣ２０の電源がＯＮされると（Ｓ３１０）、電源選択部２４は、バッテリ起動フラグ記憶部２３にバッテリ起動フラグが記録されているか否かを判定する（Ｓ３２０）。バッテリ起動フラグが記録されている場合（Ｓ３２０でＹｅｓ）、電源選択部２４は、バッテリを使用してノートＰＣ２０を起動及び駆動させる（Ｓ３３０）。この場合、起動後の所定時間は、ノートＰＣ２０の駆動に必要な電力は、バッテリより供給される。一方、バッテリ起動フラグが記録されていない場合（Ｓ３２０でＮｏ）、電源選択部２４は、商用電源を使用してノートＰＣ２０を起動及び駆動させる（Ｓ３４０）。
【００７２】
起動後の定常動作時において、問い合わせ部２２は、ノートＩＤを指定して、当該ノートＰＣ２０がバッテリ起動の対象であるかを定期的に問い合わせる（Ｓ３５０）。当該問い合わせに応じ、電力平準化装置１０では、図８のステップＳ２０４及びＳ２０５が実行される。すなわち、指示部１２５は、優先順位記憶部１３５を参照して、問い合わせに指定されたノートＩＤに係るノートＰＣ２０がバッテリ起動の対象であるか否かを判定し、その判定結果を含む応答を返信する。
【００７３】
問い合わせ部２２は、当該応答を受信すると、当該応答に含まれている判定結果に基づいて、バッテリ起動フラグ記憶部２３の記憶内容を更新する（Ｓ３６０）。すなわち、当該判定結果において、当該ノートＰＣ２０がバッテリ起動の対象であることが示されていれば、バッテリ起動フラグがバッテリ起動フラグ記憶部２３に記録される。一方、当該判定結果において、当該ノートＰＣ２０がバッテリ起動の対象でないことが示されており、バッテリ起動フラグ記憶部２３にバッテリ起動フラグが記録されていれば、当該バッテリ起動フラグは削除される。ステップＳ３５０以降は、ノートＰＣ２０の起動中、一定周期で行われる（Ｓ３７０）。
【００７４】
なお、上記では、バッテリ起動の対象であるか否かに関して、ノートＰＣ２０が問い合わせる形態について説明したが、図９のステップＳ２９０に続いて、電力平準化装置１０の指示部１２５が、バッテリ起動の対象として選択されたノートＰＣ２０に対して、バッテリ起動の対象であることを通知してもよい。当該通知を受信したノートＰＣ２０の問い合わせ部２２は、バッテリ起動フラグをバッテリ起動フラグ記憶部２３に記録すればよい。
【００７５】
上述したように、第一の実施の形態によれば、商用電源への接続時間帯と、オフピーク時間帯との重複時間が長いノートＰＣ２０が、優先的にバッテリ起動の対象として選択される。斯かるノートＰＣ２０は、オフピーク時間帯において、持ち出される可能性の低いノートＰＣ２０であると推定される。すなわち、当該ノートＰＣ２０のユーザは、オフピーク時間帯において、外出等する可能性の低いユーザであると推定される。斯かるノートＰＣ２０をバッテリ起動の対象とすることで、当該ノートＰＣ２０の利便性が損なわれる可能性を抑制しつつ、オフィス全体の消費電力の平準化を期待することができる。すなわち、出社時等において、商用電源からの電力使用量を低下させることができる。また、バッテリ起動されたノートＰＣ２０が、オフピーク時間帯において充電を行う可能性を高めることができる。
【００７６】
次に、第二の実施の形態について説明する。第二の実施の形態では、第一の実施の形態と異なる点について説明する。したがって、第二の実施の形態において特に言及しない点については、第一の実施の形態と同様でよい。
【００７７】
図１４は、第二の実施の形態の優先順位判定処理の処理手順の一例を説明するためのフローチャートである。図１４中、図９と同一ステップには同一ステップ番号を付し、その説明は省略する。すなわち、第二の実施の形態では、図９の処理手順が、図１４に示されるように置き換えられる。
【００７８】
図１４では、ステップＳ２４０が、ステップＳ２４０ａに置換され、ステップＳ２５１及びＳ２５２が追加されている。また、ステップＳ２９０が、ステップＳ２９０ａに置換されている。
【００７９】
ステップＳ２４０ａにおいて、オフピーク接続時間算出部１２２は、算出用テーブル１３４に対して、対象ノートＩＤに係るレコード（算出用レコード）を追加する。
【００８０】
図１５は、第二の実施の形態の算出用テーブルの構成例を示す図である。図１５中、図１０と同一部分の説明は省略する。
【００８１】
図１５に示される算出用テーブル１３４ａには、ノートＩＤごとに、接続回数及び切断回数が更に記録される。接続回数は、商用電源への接続回数である。切断回数は、商用電源からの切断回数である。ステップＳ２４０ａにおいて、オフピーク接続時間算出部１２２は、算出用レコードのオフピーク接続時間、接続回数、及び切断回数に０を記録する。
【００８２】
また、ステップＳ２５１において、オフピーク接続時間算出部１２２は、算出用レコードの接続回数に１を加算する。また、ステップＳ２８１において、オフピーク接続時間算出部１２２は、算出用レコードの切断回数に１を加算する。
【００８３】
更に、ステップＳ２９０ａにおいて、優先順位判定部１２３は、算出用テーブル１３４ａに記録されているオフピーク接続時間が相対的に長く、かつ、接続回数及び切断回数が相対的に少ないノートＰＣ２０の優先順位を上位とする。例えば、まず、オフピーク接続時間の長い順に優先順位が付与され、その後に、接続回数又は切断回数が閾値より多いノートＰＣ２０の優先順位は下げられる。すなわち、接続回数又は切断回数が閾値より多いノートＰＣ２０については、起動対象から除外される可能性が高められる。なお、接続回数と切断回数とは、対をなすものである。したがって、優先順位の判定には、いずれか一方が使用されてもよい。
【００８４】
商用電源への接続回数又は商用電源からの切断回数が多いノートＰＣ２０のユーザは、出張や会議等によって、ノートＰＣ２０を持ち出して離席する可能性の高いユーザであると推定される。したがって、このようなノートＰＣ２０がバッテリ起動の対象から除外されることで、当該ノートＰＣ２０に関して、持ち出し先でのバッテリ切れの可能性を低減させつつ、オフィス全体での消費電力の平準化を図ることができる。
【００８５】
次に、第三の実施の形態について説明する。第三の実施の形態では、第一の実施の形態と異なる点について説明する。したがって、第三の実施の形態において特に言及しない点については、第一の実施の形態と同様でよい。
【００８６】
図１６は、第三の実施の形態における商用電源への接続状態の変化の履歴の収集処理の処理手順の一例を説明するためのフローチャートである。図１６中、図５と同一ステップには同一ステップ番号を付し、その説明は省略する。すなわち、第三の実施の形態では、図５の処理手順が、図１６に示されるように置き換えられる。
【００８７】
図１６では、ステップＳ１２０が、ステップＳ１２０ａに置換され、ステップＳ１４１〜Ｓ１４３が追加されている。
【００８８】
ステップＳ１２０ａにおいて、電源タップ３０は、プラグが差し込まれたコンセントを識別するタップＩＤと、電力センサによって検知された電力値とを含む接続通知を電力平準化装置１０に送信する。
【００８９】
また、ステップＳ１４１において、履歴収集部１２１は、接続通知に含まれている電力値が、所定値以上であるか否かを判定する。所定値は、充電時におけるノートＰＣ２０の平均的な消費電力値と、非充電時におけるノートＰＣ２０の平均的な消費電力値とを区別可能な値であればよい。
【００９０】
接続通知に含まれている消費電力値が所定値以上である場合（Ｓ１４１でＹｅｓ）、履歴収集部１２１は、ステップＳ１４０において記録されたレコードに対して、充電中であることを記録する（Ｓ１４２）。接続通知に含まれている電力値が所定値未満である場合（Ｓ１４１でＮｏ）、履歴収集部１２１は、ステップＳ１４０において記録されたレコードに対して、充電中でないことを記録する（Ｓ１４３）。
【００９１】
図１７は、第三の実施の形態の接続履歴記憶部の構成例を示す図である。図１７中、図７と同一部分の説明は省略する。
【００９２】
図１７に示される接続履歴記憶部１３２ａの各レコードは、充電状態を更に含む。充電状態は、充電中であるか否かを示す。「ＯＮ」は、充電中であることを示し、「ＯＦＦ」は充電中でないことを示す。したがって、ステップＳ１４２では、充電状態に「ＯＮ」が記録される。ステップＳ１４３では、充電状態に「ＯＦＦ」が記録される。
【００９３】
また、図１８は、第三の実施の形態の優先順位判定処理の処理手順の一例を説明するためのフローチャートである。図１８中、図９と同一ステップには同一ステップ番号を付し、その説明は省略する。すなわち、第三の実施の形態では、図９の処理手順が、図１８に示されるように置き換えられる。
【００９４】
図１４では、ステップＳ２４０が、ステップＳ２４０ｂに置換され、ステップＳ２５２及びＳ２５３が追加されている。また、ステップＳ２９０が、ステップＳ２９０ｂに置換されている。
【００９５】
ステップＳ２４０ｂにおいて、オフピーク接続時間算出部１２２は、算出用テーブル１３４に対して、対象ノートＩＤに係るレコード（算出用レコード）を追加する。
【００９６】
図１９は、第三の実施の形態の算出用テーブルの構成例を示す図である。図１９中、図１０と同一部分の説明は省略する。
【００９７】
図１９に示される算出用テーブル１３４ｂには、ノートＩＤごとに、充電回数が更に記録される。充電回数は、商用電源からの充電回数である。ステップＳ２４０ｂにおいて、オフピーク接続時間算出部１２２は、算出用レコードのオフピーク接続時間及び充電回数に０を記録する。
【００９８】
また、ステップＳ２５２において、オフピーク接続時間算出部１２２は、履歴レコードの充電状態の値は「ＯＮ」であるか否かを判定する。当該充電状態が「ＯＮ」である場合（Ｓ２５２でＹｅｓ）、オフピーク接続時間算出部１２２は、算出レコードの充電回数に１を加算する（Ｓ２５３）。
【００９９】
更に、ステップＳ２９０ｂにおいて、優先順位判定部１２３は、算出用テーブル１３４ｂに記録されているオフピーク接続時間が相対的に長く、かつ、充電回数が相対的に少ないノートＰＣ２０の優先順位を上位とする。例えば、まず、オフピーク接続時間の長い順に優先順位が付与され、その後に、充電回数が閾値より多いノートＰＣ２０の優先順位は下げられる。すなわち、充電回数が閾値より多いノートＰＣ２０については、起動対象から除外される可能性が高められる。
【０１００】
充電回数が多いノートＰＣ２０のユーザは、出張や会議等によって、ノートＰＣ２０を持ち出して離席する可能性の高いユーザである可能性が推定される。したがって、このようなノートＰＣ２０がバッテリ起動の対象から除外されることで、当該ノートＰＣ２０に関して、持ち出し先でのバッテリ切れの可能性を低減させつつ、オフィス全体での消費電力の平準化を図ることができる。
【０１０１】
なお、第二の実施の形態と第三の実施の形態とは組み合わされてもよい。例えば、優先順位の判定時において、商用電源への接続回数若しくは商用電源からの切断回数、及び充電回数に基づいて優先順位が変更されてもよい。
【０１０２】
ところで、電力平準化装置１０への充電状態の通知は、ノートＰＣ２０が行ってもよい。図２０は、充電状態のノートＰＣによる通知処理の処理手順の一例を説明するための図である。
【０１０３】
ノートＰＣ２０において、充電の開始が検知されると（Ｓ４０１でＹｅｓ）、当該ノートＰＣ２０の通知部２１は、当該ノートＰＣ２０のノートＩＤを含む充電開始通知を電力平準化装置１０に送信する（Ｓ４０２）。その後、充電が終了すると（Ｓ４０３でＹｅｓ）、通知部２１は、当該ノートＰＣ２０のノートＩＤを含む充電終了通知を電力平準化装置１０に送信する（Ｓ４０４）。
【０１０４】
なお、電力平準化装置１０において充電開始通知が受信された場合、履歴収集部１２１は、充電開始通知に含まれているノートＩＤを含み、充電状態が「ＯＦＦ」であるレコードを接続履歴記憶部１３２ａに追加する。一方、電力平準化装置１０において充電終了通知が受信された場合、履歴収集部１２１は、充電終了通知に含まれているノートＩＤを含み、充電状態が「ＯＦＦ」であるレコードを接続履歴記憶部１３２ａに追加する。
【０１０５】
次に、第四の実施の形態について説明する。第四の実施の形態では、第一の実施の形態と異なる点について説明する。したがって、第四の実施の形態において特に言及しない点については、第一の実施の形態と同様でよい。
【０１０６】
図２１は、第四の実施の形態のノートＰＣが実行する処理手順の一例を説明するためのフローチャートである。図２１中、図１３と同一ステップには同一ステップ番号を付し、その説明は省略する。すなわち、第四の実施の形態では、図１３の処理手順が、図２１に示されるように置き換えられる。
【０１０７】
図２１では、ステップＳ３３５が追加されている。すなわち、電源選択部２４は、オフピーク開始時刻が経過するまでバッテリでの駆動を継続する（Ｓ３３５でＮｏ）。オフピーク開始時刻とは、オフピーク時間帯の開始時刻をいい、後述されるように、電力平準化装置１０への問い合わせに対する応答において通知され、バッテリ起動フラグ記憶部２３に記録される。
【０１０８】
オフピーク開始時刻が経過すると（Ｓ３３５でＹｅｓ）、電源選択部２４は、商用電源を利用した駆動に切り替える（Ｓ３４０）。
【０１０９】
起動後の定常動作時において、問い合わせ部２２は、ノートＩＤを指定して、当該ノートＰＣ２０がバッテリ起動の対象であるかを定期的に問い合わせる（Ｓ３５０）。当該問い合わせに応じ、電力平準化装置１０の指示部１２５は、優先順位記憶部１３５を参照して、問い合わせに指定されたノートＩＤに係るノートＰＣ２０がバッテリ起動の対象であるか否かを判定し、その判定結果とオフピーク開始時刻とを含む応答を返信する。
【０１１０】
問い合わせ部２２は、当該応答を受信すると、当該応答に含まれている判定結果に基づいて、バッテリ起動フラグ記憶部２３の記憶内容を更新すると共に、当該応答に含まれているオフピーク開始時刻をバッテリ起動フラグ記憶部２３に記録する（Ｓ３６０）。
【０１１１】
第四の実施の形態によれば、ノートＰＣ２０のバッテリの充電がオフピーク時間帯に行われる可能性を高めることができる。その結果、オフィス全体の平準化を更に促進することができる。
【０１１２】
なお、第四の実施の形態は、第二及び第三の実施の形態の少なくともいずれか一方と組み合わされてもよい。
【０１１３】
なお、本実施の形態において、接続履歴記憶部１３２は、履歴記憶部の一例である。履歴収集部１２１は、収集部の一例である。オフピーク接続時間算出部１２２は、算出部の一例である。バッテリ起動選択部１２４は、選択部の一例である。電力消費量推移記憶部１３３は、推移記憶部の一例である。
【０１１４】
以上、本発明の実施例について詳述したが、本発明は斯かる特定の実施形態に限定されるものではなく、特許請求の範囲に記載された本発明の要旨の範囲内において、種々の変形・変更が可能である。
【０１１５】
以上の説明に関し、更に以下の項を開示する。
（付記１）
複数の情報処理装置のそれぞれについて、商用電源への接続状態の変化の履歴を収集して該履歴を履歴記憶部に記録し、
前記履歴記憶部に記録された前記履歴に基づいて、前記情報処理装置ごとに、前記商用電源への接続時間帯を特定し、該接続時間帯と、推移記憶部が記憶する、電力消費量が所定値以下である時間帯との重複時間を算出し、
前記重複時間の長い順に、当該情報処理装置が備える電池を使用して起動を行う情報処理装置を選択する処理をコンピュータが実行する電力平準化方法。
（付記２）
前記選択する処理は、前記履歴記憶部に記録された前記接続状態の変化の回数が相対的に多い前記情報処理装置を、選択対象から除外する付記１記載の電力平準化方法。
（付記３）
前記記録する処理は、前記複数の情報処理装置のそれぞれについて、前記商用電源からの前記電池への充電状態の変化の履歴を収集して該履歴を前記履歴記憶部に記録し、
前記選択する処理は、前記履歴記憶部に記録された前記充電状態の変化の回数が相対的に多い前記情報処理装置を、選択対象から除外する付記１又は２記載の電力平準化方法。
（付記４）
複数の情報処理装置のそれぞれについて、商用電源への接続状態の変化の履歴を収集して該履歴を履歴記憶部に記録する収集部と、
前記履歴記憶部に記録された前記履歴に基づいて、前記情報処理装置ごとに、前記商用電源への接続時間帯を特定し、該接続時間帯と、推移記憶部が記憶する、電力消費量が所定値以下である時間帯との重複時間を算出する算出部と、
前記重複時間の長い順に、当該情報処理装置が備える電池を使用して起動を行う情報処理装置を選択する選択部とを有する電力平準化装置。
（付記５）
前記選択部は、前記履歴記憶部に記録された前記接続状態の変化の回数が相対的に多い前記情報処理装置を、選択対象から除外する付記４記載の電力平準化装置。
（付記６）
前記収集部は、前記複数の情報処理装置のそれぞれについて、前記商用電源からの前記電池への充電状態の変化の履歴を収集して該履歴を前記履歴記憶部に記録し、
前記選択部は、前記履歴記憶部に記録された前記充電状態の変化の回数が相対的に多い前記情報処理装置を、選択対象から除外する付記４又は５記載の電力平準化装置。
（付記７）
複数の情報処理装置のそれぞれについて、商用電源への接続状態の変化の履歴を収集して該履歴を履歴記憶部に記録し、
前記履歴記憶部に記録された前記履歴に基づいて、前記情報処理装置ごとに、前記商用電源への接続時間帯を特定し、該接続時間帯と、推移記憶部が記憶する、電力消費量が所定値以下である時間帯との重複時間を算出し、
前記重複時間の長い順に、当該情報処理装置が備える電池を使用して起動を行う情報処理装置を選択する処理をコンピュータに実行させる電力平準化プログラム。
（付記８）
前記選択する処理は、前記履歴記憶部に記録された前記接続状態の変化の回数が相対的に多い前記情報処理装置を、選択対象から除外する付記７記載の電力平準化プログラム。
（付記９）
前記記録する処理は、前記複数の情報処理装置のそれぞれについて、前記商用電源からの前記電池への充電状態の変化の履歴を収集して該履歴を前記履歴記憶部に記録し、
前記選択する処理は、前記履歴記憶部に記録された前記充電状態の変化の回数が相対的に多い前記情報処理装置を、選択対象から除外する付記７又は８記載の電力平準化プログラム。
【符号の説明】
【０１１６】
１            電力平準化システム
１０          電力平準化装置
２０          ノートＰＣ
２１          通知部
２２          問い合わせ部
２３          バッテリ起動フラグ記憶部
２４          及び電源選択部
３０          電源タップ
１００        ドライブ装置
１０１        記録媒体
１０２        補助記憶装置
１０３        メモリ装置
１０４        ＣＰＵ
１０５        インタフェース装置
１２１        履歴収集部
１２２        オフピーク接続時間算出部
１２３        優先順位判定部
１２４        バッテリ起動選択部
１２５        指示部
１３１        タップ・ノート対応記憶部
１３２        接続履歴記憶部
１３３        電力消費量推移記憶部
１３４        算出用テーブル
１３５        優先順位記憶部
Ｂ            バス
【図１】
0005678763.tif 000002
【図２】
0005678763.tif 000003
【図３】
0005678763.tif 000004
【図４】
0005678763.tif 000005
【図５】
0005678763.tif 000006
【図６】
0005678763.tif 000007
【図７】
0005678763.tif 000008
【図８】
0005678763.tif 000009
【図９】
0005678763.tif 000010
【図１０】
0005678763.tif 000011
【図１１】
0005678763.tif 000012
【図１２】
0005678763.tif 000013
【図１３】
0005678763.tif 000014
【図１４】
0005678763.tif 000015
【図１５】
0005678763.tif 000016
【図１６】
0005678763.tif 000017
【図１７】
0005678763.tif 000018
【図１８】
0005678763.tif 000019
【図１９】
0005678763.tif 000020
【図２０】
0005678763.tif 000021
【図２１】
0005678763.tif 000022